(57)【特許請求の範囲】
【請求項１】
シート状の濾材と、多角形状に形成され、前記濾材の周縁部が嵌め込まれる保持溝を有する枠材と、前記枠材に装着されて前記濾材を保持する保持線材とを備えたフィルタにおいて、
前記保持線材は、少なくとも一つの折曲部を有し、その折曲部が前記枠材のいずれか一辺の中間位置で前記保持溝に入り込み、一端部が枠材のいずれか一辺の中間位置で保持溝の内底面に当接し、他端部が枠材のいずれか一辺の中間位置またはコーナ部で保持溝の内底面に当接するように弾性変形した状態で枠材に装着されるものとし、
前記保持線材の一端部に、前記枠材に保持線材を装着したときに前記保持溝からはみ出す把手を設けたことを特徴とするフィルタ。
【請求項２】
前記保持線材の把手が、前記保持線材の一端部を折り曲げて形成したものであることを特徴とする請求項１に記載のフィルタ。
【発明の詳細な説明】
【技術分野】
【０００１】
本発明は、濾材を嵌め込んだ枠材に線材で形成した保持部材を装着して濾材を保持するようにしたフィルタに関する。
【背景技術】
【０００２】
空気清浄装置は、一般に、シート状の濾材を組み込んだフィルタを、ダクト等の空気通路に設けられる取付枠に取り付け、そのフィルタに対して空気を通過させることにより、空気に含まれている異物をフィルタの濾材で捕捉して空気を清浄化している。そのフィルタは、濾材で捕捉した異物が増えるにつれて濾過性能が低下するため、定期的に濾材の交換ができるように、枠材の内周側に開口する保持溝に濾材の周縁部を着脱可能に嵌め込んだものがよく用いられる。
【０００３】
そして、上記のように濾材を交換可能としたフィルタでは、使用中の濾材の抜け落ちや変形による濾過性能の低下を防止するために、濾材を嵌め込んだ枠材に線材で形成した保持部材（以下、「保持線材」と称する。）や金網等の格子状部材を装着して、濾材を保持するようにしたものが多い（例えば、特許文献１、２参照。）。その保持線材は、特許文献１に記載されたＶ字状のものや特許文献２に記載されたＷ字状のもの、あるいは台形の一方の底辺を除く３辺を形成するように折り曲げられたもの等、種々の形状のものがあるが、通常は、その形状によらず、折曲部が枠材のいずれか一辺の中間位置で保持溝に入り込み、両端部がそれぞれ枠材のコーナ部で保持溝の内底面に当接するように弾性変形して突っ張った状態で枠材に装着されている。
【先行技術文献】
【特許文献】
【０００４】
【特許文献１】特開２００２−１１３３１９号公報（図１２）
【特許文献２】特開平８−２２４４２２号公報（図５）
【発明の概要】
【発明が解決しようとする課題】
【０００５】
上述したように保持線材を装着したフィルタでは、濾材を交換する際に保持線材も脱着することになる。ところが、保持線材を枠材から取り外そうとすると、最初に保持線材の両端部および折曲部のうちの一つを枠材の保持溝から引き出すときに、弾性変形した状態で枠材に装着されている保持線材をさらに大きく弾性変形させる必要があり、これに手間がかかることが多い。例えば、台形の３辺をなす形状の保持線材を用いている場合は、その台形の脚にあたる部分の中央部を持って弾性変形させることになるので、保持線材の寸法によってはかなり大きな力が必要となることがある。このように、保持線材を枠材から取り外すのに手間がかかることが、濾材交換時の作業性を低下させる要因の一つとなっている。
【０００６】
そこで、本発明は、濾材を保持する保持線材を備えたフィルタにおいて、濾材交換時の作業性を向上させることを課題とする。
【課題を解決するための手段】
【０００７】
上記の課題を解決するために、本発明は、シート状の濾材と、多角形状に形成され、前記濾材の周縁部が嵌め込まれる保持溝を有する枠材と、前記枠材に装着されて前記濾材を保持する保持線材とを備えたフィルタにおいて、前記保持線材は、少なくとも一つの折曲部を有し、その折曲部が前記枠材のいずれか一辺の中間位置で前記保持溝に入り込み、一端部が枠材のいずれか一辺の中間位置で保持溝の内底面に当接し、他端部が枠材のいずれか一辺の中間位置またはコーナ部で保持溝の内底面に当接するように弾性変形した状態で枠材に装着されるものとし、前記保持線材の一端部に、前記枠材に保持線材を装着したときに前記保持溝からはみ出す把手を設けた構成を採用した。
【０００８】
上記の構成によれば、保持線材を枠材から取り外す際に、最初に作業者が保持線材の一端部に設けた把手を持って保持線材を弾性変形させることにより、保持線材の一端部を枠材の保持溝から容易に引き出すことができるので、保持線材の直線部分の中央部を持って保持線材を弾性変形させる場合よりも作業がしやすくなり、濾材交換時の作業性を向上させることができる。
【０００９】
ここで、前記保持線材の把手は、前記保持線材の一端部を折り曲げて形成したものとすることができる。
【発明の効果】
【００１０】
本発明のフィルタは、上述したように、枠材に装着されて濾材を保持する保持線材の一端部に把手を設け、その把手を持って保持線材を弾性変形させることにより、保持線材の一端部を枠材の保持溝から引き出せるようにしたものであるから、保持線材の枠材からの取り外しが容易で、濾材交換作業を効率よく行うことができる。
【図面の簡単な説明】
【００１１】
【図１】ａ、ｂは、それぞれ実施形態のフィルタの前面側および後面側の外観斜視図
【図２】図１のフィルタの要部の横断面図
【図３】ａ〜ｄは、それぞれ図１の保持線材の取り外し手順を説明する正面図
【発明を実施するための形態】
【００１２】
以下、図面に基づき本発明の実施形態を説明する。このフィルタは、図１（ａ）、（ｂ）および図２に示すように、矩形のシート状に形成された濾材１と、濾材１の周縁部が着脱可能に嵌め込まれる保持溝２ａを有し、前面側から後面側に（図２の下側から上側に）空気を通す矩形の枠材２と、枠材２の前面側に配される保持線材３と、枠材２の後面側に配される格子状部材４とを備え、その保持線材３と格子状部材４とで濾材１を挟み付けるようにして保持することにより、使用中の濾材１の抜け落ちや変形による濾過性能の低下を防止するようにしたものである。
【００１３】
前記枠材２は、金属製で、製作時に格子状部材４を構成する各線材の端部を保持溝２ａ内に抱え込む状態で断面コの字状に形成される。したがって、格子状部材４は枠材２から取り外すことはできず、濾材１および保持線材３は枠材２の前面側から着脱される。
【００１４】
前記保持線材３は、金属製の線材をその中央部の二箇所で折り曲げてＺ字状に形成するとともに、一端部３ａを三角形状に折り曲げて形成した把手５を設けたものであり、その一端部３ａが枠材２の一側辺の中間位置で、各折曲部３ｂ、３ｃが上辺および下辺の中間位置で、他端部３ｄが枠材２の他側辺と下辺の間のコーナ部でそれぞれ保持溝２ａの内底面に当接するように弾性変形した状態で枠材２に装着される。そして、このように保持線材３を枠材２に装着したときに、把手５が保持溝２ａからはみ出すようになっている。
【００１５】
前記格子状部材４は、保持線材３の素材と同じ金属製線材を格子状に組んで、その交差位置で線材どうしを溶接したものであり、前述のように枠材２を製作する際に枠材２内に配置される。
【００１６】
このフィルタは、上記の構成であり、濾材１を交換する際には、保持線材３を一旦枠材２から取り外し、濾材１を新しいものに取り換えた後に再び保持線材３を枠材２に装着することになる。その保持線材３の脱着手順を、図３に基づいて以下に説明する。
【００１７】
保持線材３を枠材２から取り外そうとするときは、まず、図３（ａ）に示すように保持線材３の一端部３ａに設けた把手５を指でつまみ、図３（ｂ）の実線で示すように保持線材３を弾性変形させて、保持線材３の一端部３ａを枠材２の保持溝２ａから引き出す。そして、把手５を枠材２の前面よりもわずかに手前へ引いて指を離すと、図３（ｂ）の一点鎖線で示すように保持線材３の弾性復元により一端部３ａが枠材２から外れる。次に、図３（ｃ）に示すように、保持線材３の一端部３ａを左斜め上側へ引っ張って、一端側の折曲部３ｂを保持溝２ａから引き出し、続いて、図３（ｄ）に示すように、一端部３ａを左斜め下側へ引っ張って、他端側の折曲部３ｃを保持溝２ａから引き出す。最後に、保持線材３全体を左斜め上側へ引っ張って、他端部３ｄを保持溝２ａから引き出せばよい。
【００１８】
また、保持線材３を枠材２に装着するときは、取り外しの際と逆の手順で、保持線材３の他端部３ｄを枠材２の他側辺と下辺の間のコーナ部で保持溝２ａの内底面に当接させた後、他端側の折曲部３ｃ、一端側の折曲部３ｂ、一端部３ａの順で枠材２の保持溝２ａに差し込んでいけばよい。
【００１９】
このフィルタでは、上述したように、保持線材３を枠材２から取り外す際に、最初に作業者が保持線材３の一端部３ａに設けた把手５を持って保持線材３を弾性変形させることにより、保持線材３の一端部３ａを枠材２の保持溝２ａから容易に引き出せるので、従来の保持線材を用いたものよりも作業がしやすく、濾材１の交換作業を効率よく行うことができる。
【００２０】
なお、保持線材は、上述した実施形態のようなＺ字状のものに限らず、少なくとも一つの折曲部を有する形状で、一端部に把手が設けられ、その折曲部が枠材のいずれか一辺の中間位置で保持溝に入り込み、一端部が枠材のいずれか一辺の中間位置で保持溝の内底面に当接し、他端部が枠材のいずれか一辺の中間位置またはコーナ部で保持溝の内底面に当接するように弾性変形した状態で枠材に装着されるものであればよい。
【００２１】
また、保持線材の把手は、別体で形成して保持線材の一端部に取り付けるようにしてもよいが、実施形態のように一端部を折り曲げて形成した方が低コストで製作しやすい。
【符号の説明】
【００２２】
１  濾材
２  枠材
２ａ  保持溝
３  保持線材
３ａ  一端部
３ｂ、３ｃ  折曲部
３ｄ  他端部
４  格子状部材
５  把手
【図１】
0006363422.tif 000002
【図２】
0006363422.tif 000003
【図３】
0006363422.tif 000004